(57)【要約】【課題】コンタクトは多ピン、狭ピッチであり、低背のＦＰＣ用コネクタにおいて、カバーハウジングが確実に開閉できる構造のＦＰＣ用コネクタを提供する。【解決手段】ハウジング２はＦＰＣ１が挿入される凹部２１を有し、複数のコンタクト４・５・６を凹部２１に配列する。カバーハウジング３はハウジング２に両端支持される開閉軸３１を有し、カバーハウジング３を開くとＦＰＣ１は凹部２１に挿入可能となる。カバーハウジング３を閉じるとＦＰＣ１を押圧してコンタクト４・５・６に弾性接触させる。交互に並列配置される複数のコンタクト４・５は開閉軸３１の撓み方向に抗して開閉軸３１を挟持し、カバーハウジング３の開閉姿勢を維持する複数のコンタクト６をコンタクト４・５間に配置し、開閉軸３１の撓みを少なくした。【選択図】        図１
2006127814.tif 000002
【特許請求の範囲】
【請求項１】
ＦＰＣが挿入される凹部が形成された略直方体状のハウジングと、前記ハウジングの凹部を開閉可能に覆う略矩形板状のカバーハウジングと、を備えるコネクタであって、
前記ハウジングは、交互に並設配置される第１コンタクト及び第２コンタクトと、互いに隣接する一対の前記第１コンタクトと前記第２コンタクトとの間に配置される第３コンタクトと、を内部に備え、
前記第１コンタクト及び前記第２コンタクトは、互いに向かい合う方向に延びる第１アーム及び第２アームと、これら第１アーム及び第２アームの基端同士を連結する水平脚と、を有し、
前記第３コンタクトは、固定アームと、この固定アームに対向する弾性アームと、前記固定アーム及び弾性アームに一端同士を連結する連結脚と、を有し、
前記第１コンタクトの第２アームは、前記ハウジングの凹部の底面と反対方向に延びる受け部を先端側に有し、
前記第２コンタクトの第２アームは、前記ハウジングの凹部の底面に延びる押さえ部を先端側に有し、
前記カバーハウジングは、前記ハウジングの凹部の底面側に延びて前記第１コンタクトの受け部と係合する係合部と、前記第２コンタクトの押さえ部と前記ハウジングの凹部の底面との間に位置して前記押さえ部に押さえられる支持部と、前記第３コンタクトの弾性アームと前記ハウジングの凹部の底面との間に位置して前記弾性アームの先端側に係止するカム部と、を有しているコネクタ。
【請求項２】
前記第１コンタクトの第２アーム及び前記第２コンタクトの第２アームは、断面２次モーメントの大きい剛性腕となっている請求項１記載のコネクタ。
【請求項３】
前記カム部は、前記カバーハウジングの閉姿勢を維持する第１輪郭部と、この第１輪郭部に連続して前記カバーハウジングの開姿勢を維持する第２輪郭部とを有し、前記弾性アームの先端側がこの第２輪郭部に係合しているときは、前記ＦＰＣが挿抜できるように当該弾性アームの先端側が前記凹部の底面から離反する方向に弾性変形される請求項１又は２記載のコネクタ。
【請求項４】
前記第１輪郭部及び第２輪郭部に連続する第３輪郭部は、前記ＦＰＣを前記凹部の底面側に押圧する押圧部を形成している請求項１から３のいずれかに記載のコネクタ。
【請求項５】
前記第１及び第２コンタクトは、前記凹部の開口側から前記ＦＰＣの反挿入方向に第１及び第２リード部が延出し、前記第３コンタクトは前記凹部の反対側から前記ＦＰＣの挿入方向に第３リード部が延出し、この第１から第３リード部の底面がプリント基板に接合される請求項１から４のいずれかに記載のコネクタ。
【請求項６】
前記ハウジングの両翼に配置され、前記カバーハウジングの両端部に形成される開閉軸を回動可能に支持する一対のタブを備え、この一対のタブの底面が前記プリント基板に接合される請求項１から５のいずれかに記載のコネクタ。
【請求項７】
表裏面の導体間隔が０．２ｍｍピッチに形成されている両面ＦＰＣと導電接続可能とする請求項１から６のいずれかに記載のコネクタ。
【請求項８】
前記導体本数が８０極である両面ＦＰＣと導電接続可能とする請求項１から７のいずれかに記載のＦＰＣ用コネクタ。
【発明の詳細な説明】
【技術分野】
【０００１】
本発明は、ＦＰＣ（Ｆｌｅｘｉｂｌｅ  Ｐｒｉｎｔｅｄ  Ｃｉｒｃｕｉｔ）やＦＦＣ（Ｆｌｅｘｉｂｌｅ  Ｆｌａｔ  Ｃａｂｌｅ）等の平形柔軟ケーブルと接続するコネクタに関する。本明細書は平形柔軟ケーブルを総称してＦＰＣと呼称することとし、本発明は、特に、ＦＰＣの挿抜時にほとんど力を必要としない、いわゆるＺＩＦ（Ｚｅｒｏ  Ｉｎｓｅｒｔｉｏｎ  Ｆｏｒｃｅ）タイプのＦＰＣ用のコネクタに関する。
【背景技術】
【０００２】
近年の電子機器、例えば、ＤＶＣ（Ｄｉｇｉｔａｌ  Ｖｉｄｅｏ  Ｃａｍｅｒａ）及びＤＳＣ（Ｄｉｇｉｔａｌ  Ｓｔｉｌｌ  Ｃａｍｅｒａ）や携帯電話機とＰＤＡ（Ｐｅｒｓｏｎａｌ  Ｄｉｇｉｔａｌ  Ａｓｓｉｓｔａｎｃｅ）に代表される携帯型情報機器に実装される電子部品モジュールやプリント基板間を接続するには、平型柔軟ケーブルであるＦＰＣが使用されている。
【０００３】
プリント基板に表面実装されるＦＰＣ用のコネクタ、いわゆる表面実装型のＦＰＣ用のコネクタは、ＦＰＣが挿入される挿入部が形成されている絶縁性のハウジングと、このハウジングに所定のピッチで横並びに装着された複数のコンタクトを備えている。そして、ＦＰＣとこれらのコンタクトとを接触させるために、例えば、開閉するカバーハウジングが挿入部に備えられている。
【０００４】
プリント基板に表面実装されるＦＰＣ用のコネクタは実装密度を上げるべく、実装高さを低くすること（低背化）が求められており、この表面実装型のＦＰＣ用のコネクタに配列されるコンタクトも多ピン化、狭ピッチ化が進行している。
【０００５】
このような表面実装型のＦＰＣ用のコネクタとして、ＦＰＣと接触する接触脚とこの接触脚に対応するスタビライザ脚（水平脚）とを有する複数のコンタクトを、互いに平行に整列する第１のコンタクト群と第２のコンタクト群とから構成するＦＰＣ用のコネクタが発明されている（例えば、特許文献１参照）。
【０００６】
特許文献１によるＦＰＣ用のコネクタは、開閉するアクチュエータ（以下、カバーハウジングという）に第１のコンタクト群のスタビライザ脚に係合するカム部と、第２のコンタクト群のスタビライザ脚に係合する被押圧部とを設けている。
【０００７】
そして、このカバーハウジングの開閉軸の周囲に形成されるカム部は、当該カバーハウジングが閉じられた状態から開く状態に開閉軸が回動するときに、第１のコンタクト群のスタビライザ脚は対応する接触脚との間隔を広げるように弾性変形される。
【０００８】
一方、このカバーハウジングが閉じられた状態から開く状態に開閉軸が回動するときに、第１のコンタクト群のスタビライザ脚がカバーハウジングに与える力と反対方向の力を第２のコンタクト群のスタビライザ脚が受けるように、被押圧部は形成されている。
【０００９】
特許文献１によるＦＰＣ用のコネクタは、カバーハウジングを回動させてＦＰＣの挿入部を開くと、第１のコンタクト群のスタビライザ脚が弾性変形され、当該スタビライザ脚に備わるＦＰＣ押さえ部と接触脚との間隔を広げる。そして、ＺＩＦ作用を損なうことなく、カバーハウジングの変形を防止又は抑制できるとしている。
【００１０】
又、特許文献１によるＦＰＣ用のコネクタは、カバーハウジングを閉じた状態では、第１のコンタクト群と第２のコンタクト群により、カバーハウジングに有害な変形を与える力は加わらないとしている。
【００１１】
又、このような表面実装型のＦＰＣ用のコネクタとして、絶縁性のハウジングと、このハウジングに装着された複数のコンタクトと、回動可能に設けられたカバーハウジングとを備えているＦＰＣ用のコネクタが発明されている（例えば、特許文献２参照）。
【００１２】
特許文献２によるＦＰＣ用のコネクタのコンタクトは、ＦＰＣの挿入部に延びるコンタクトビームと、枢支ビームとを有しており、この枢支ビームの先端側下縁に切欠部が形成されてカバーハウジングの枢支部を構成している。
【００１３】
更に、特許文献２によるＦＰＣ用のコネクタにおいて、カバーハウジングは、各コンタクトの枢支部に対応させて貫通孔が形成され、この貫通孔の孔縁部を断面略円形の軸部とされて枢支部に係合している。そして、隣り合う軸部の間に加圧用突部が設けられ、この加圧用突部でＦＰＣをコンタクトの接点へ向けて押圧するようにしてある。
【００１４】
このような特許文献２によるＦＰＣ用のコネクタにおいては、カバーハウジングはハウジングへの組み付けが容易であり、しかも、組み付け時にコンタクトの接点を傷付けるおそれのない構造としている。
【特許文献１】特開２００２−３２９５３６号公報
【特許文献２】特開２００３−１５１６６０号公報
【発明の開示】
【発明が解決しようとする課題】
【００１５】
図１４は、特許文献１によるＦＰＣ用のコネクタ７の断面図である。そして、本願の図１４は特許文献１の図３に対応している。図１４において、ハウジング７０はＦＰＣ１が挿入される挿入部７０Ａを有しており、第１のコンタクト７１における第１接触脚７１Ａは、挿入部７０Ａ側からハウジング７０に圧入されている。なお、第１接触脚７１Ａの一方の端部は、ハウジング７０から延出してプリント基板９にはんだ接合されるリード部を形成している。
【００１６】
図１４に示されるように、第１接触脚７１Ａにおける他方の端部はＵの字状に反転分岐して、挿入部７０Ａ側に延出する第１スタビライザ脚７１Ｂを形成している。そして、第１スタビライザ脚７１Ｂの先端部は、カバーハウジング７３の開閉軸の周囲に形成されたカム部７３Ａに係合している。
【００１７】
図１５は、特許文献１によるＦＰＣ用のコネクタ７の断面図である。そして、本願の図１５は特許文献１の図４に対応している。図１５において、第２のコンタクト７２は、第２接触脚７２Ａと第２スタビライザ脚７２Ｂとが対向しており、第２接触脚７２Ａ及び第２スタビライザ脚７２Ｂのそれぞれの一方の端部が連結する二股コンタクトとなっている。
【００１８】
図１５に示されるように、第２スタビライザ脚７２Ｂは、挿入部７０Ａの反対側からハウジング７０に圧入されている。そして、第２スタビライザ脚７２Ｂの他方の端部はハウジング７０から延出する自由端となっており、この自由端がカバーハウジング７３の開閉軸の周囲に形成された被押圧部７３Ｂと係合している。なお、第２接触脚７２Ａの一方の端部は、ハウジング７０から延出してプリント基板９（図１４参照）に、はんだ接合されるリード部を形成している。
【００１９】
表面実装型のＦＰＣ用のコネクタに配列されるコンタクトは多ピン化、狭ピッチ化が進行しており、図１４又は図１５に示されたコンタクト７１及び７２は板厚の薄い板ばねとなっている。更に、表面実装型のＦＰＣ用のコネクタは低背化及び狭ピッチ化が進行しており、例えば、図１５に示された第２スタビライザ脚７２Ｂの固定端を保持するハウジング７０の極間壁（櫛の歯状の極間壁）Ｃを薄いものとしている。
【００２０】
図１４において、カバーハウジング７３を開くと、カバーハウジング７３の開閉軸の周囲に形成された偏心カムとなるカム部７３Ａが回転して、第１スタビライザ脚７１Ｂの先端部は上方に変位される。つまり、図１４に示されるように、カバーハウジング７３の開閉軸にはカム部７３Ａの回転により上向きの力Ｒが働く。
【００２１】
一方、図１４に示されるように、カバーハウジング７３の開閉軸には第１スタビライザ脚７１Ｂの先端部が復帰しようとする反力Ｓが働く。そして、図１５に示されるように、この反力Ｓは、カバーハウジング７３の開閉軸と一体となる被押圧部７３Ｂが、第２スタビライザ脚７２Ｂの先端部を下向きに付勢する力として作用する。
【００２２】
すなわち、カバーハウジング７３を開こうとすると、プリント基板９（図１４参照）に、はんだ接合されるリード部（第２接触脚７２Ａの端部となるリード部）を支点として、第２スタビライザ脚７２Ｂは、反時計方向に曲げモーメントが作用する。
【００２３】
前述のように、第２スタビライザ脚７２Ｂの固定端を保持するハウジング７０の極間壁Ｃは薄いものとなっているので、第２のコンタクト７２が圧入されている極間壁Ｃは、座屈するように応力が作用し、破損しやすいものとなっているという問題がある。
【００２４】
表面実装型のＦＰＣ用のコネクタは低背化が更に進行すると、偏心カムとなるカム部７３Ａの断面積が小さくなる。加えて、コンタクトの多ピン化が求められると、カム部７３Ａを軸方向に結合する開閉軸は、いわゆる長尺となる。
【００２５】
そして、カバーハウジング７３を開く過程において、前述のような細長い開閉軸は、多数の第１スタビライザ脚７１Ｂの反力Ｓで中央部が撓むことが懸念される。前記開閉軸は、いわゆる両端支持梁に等分布荷重が作用するように軸方向の中央部が撓むことが懸念される。前記開閉軸の中央部が撓むことにより、カバーハウジング７３を開くことが困難になることが予想される。
【００２６】
ＦＰＣと接続するコンタクトは多ピン、狭ピッチであり、低背であるＺＩＦ型のＦＰＣ用のコネクタにおいて、カバーハウジングの開閉が確実である構造を有するＺＩＦ型のＦＰＣ用のコネクタが求められている。
【００２７】
図１６は、特許文献２によるＦＰＣ用のコネクタ８の断面図である。本願の図１６は特許文献２の図３に対応している。図１６において、ハウジング８０はＦＰＣ１が挿入される挿入部８０Ａを有しており、端子（以下、コンタクトという）８１を構成するコンタクトビーム８１Ａと枢支ビーム８１Ｂは、挿入部８０Ａの反対側からハウジング８０に圧入されている。なお、コンタクトビーム８１Ａの端部は、ハウジング８０から延出して図示されないプリント基板にはんだ接合されるリード部を形成している。
【００２８】
図１６はカバーハウジング８３が開いた状態図である。図１６に示されるように、枢支ビーム８１Ｂの先端部下縁に切欠部８１１が形成されている。そして、カバーハウジング８３の開閉軸となる軸部８３Ａを開閉自在に支持する枢支部８１２は、切欠部８１１を構成している。又、軸部８３Ａの回りは貫通孔８３１が設けられている。
【００２９】
図１７は、特許文献２によるＦＰＣ用のコネクタ８の断面図である。本願の図１７は特許文献２の図４に対応している。図１７はカバーハウジング８３が閉じた状態図である。図１７に示されるように、カバーハウジング８３の下壁に形成された加圧用突起８３２はＦＰＣ１を押圧している。
【００３０】
特許文献２によるコネクタ８は、カバーハウジング８３に形成される貫通孔８３１の開口寸法Ａを、コンタクト８１の枢支部８１２の高さ方向寸法Ｂよりも小さくすることで、カバーハウジング８３の開閉の際に、カバーハウジング８３が枢支部８１２から外れないようにできるとしている。この結果、ＦＰＣの接続作業を確実にできるＦＰＣ用のコネクタとすることができるとしている。
【００３１】
表面実装型のＦＰＣ用のコネクタに配列されるコンタクトは多ピン化、狭ピッチ化が進行しており、図１６又は図１７に示されたコンタクト８１は板厚の薄い板ばねとなっている。更に、表面実装型のＦＰＣ用のコネクタは低背化が進行しており、例えば、図１６に示された枢支ビーム８１Ｂの固定端を保持するハウジング８０の肉厚は薄いものとなっている。
【００３２】
図１６又は図１７に示されたコネクタ８は、複数のコンタクト８１がハウジング８０内に一列に配置されている。そして、コネクタ８にＦＰＣ１が挿入されてカバーハウジング８３が閉じられた状態においては、コンタクトビーム８１Ａの反力により、片持ち梁となる枢支ビーム８１Ｂは時計方向に曲げモーメントが作用する。
【００３３】
しかしながら、図１６又は図１７に示されたような形状となる片持ち梁となる枢支ビーム８１Ｂは、板厚も薄くなり低背化すると、前記曲げモーメントに対抗できるような断面２次モーメントの大きい剛性腕とすることはできない。
【００３４】
つまり、等分布荷重を受ける片持ち梁となる枢支ビーム８１Ｂは、上方に撓むという懸念が払拭できないものとなる。このことは、例えば、ＦＰＣとコンタクトとの接触不良の要因となるという問題がある。
【００３５】
コンタクトは多ピン、狭ピッチであり、低背のＦＰＣ用のコネクタにおいて、カバーハウジングが確実に開閉姿勢を維持することにより接触不良とならない構造のＦＰＣ用のコネクタが求められている。
【００３６】
本発明は、このような問題に鑑み、コンタクトは多ピン、狭ピッチであり、低背であるＦＰＣ用のコネクタにおいて、カバーハウジングが確実に開閉し、更に、その開閉姿勢を維持できる構造のＦＰＣ用のコネクタを提供することを目的とする。
【課題を解決するための手段】
【００３７】
発明者は、上記目的を満たすため、カバーハウジングの開閉軸を撓ませないように、開閉軸の撓み方向に抗して開閉軸を挟持する複数の第１及び第２コンタクトをハウジングに交互に並列配置し、カバーハウジングの開閉姿勢を維持する複数の第３コンタクトを第１及び第２コンタクト間に配置する構造とし、以下のような新たなＦＰＣ用のコネクタを発明した。
【００３８】
（１）  ＦＰＣが挿入される凹部が形成された略直方体状のハウジングと、前記ハウジングの凹部を開閉可能に覆う略矩形板状のカバーハウジングと、を備えるコネクタであって、前記ハウジングは、交互に並設配置される第１コンタクト及び第２コンタクトと、互いに隣接する一対の前記第１コンタクトと前記第２コンタクトとの間に配置される第３コンタクトと、を内部に備え、前記第１コンタクト及び前記第２コンタクトは、互いに向かい合う方向に延びる第１アーム及び第２アームと、これら第１アーム及び第２アームの基端同士を連結する水平脚と、を有し、前記第３コンタクトは、固定アームと、この固定アームに対向する弾性アームと、前記固定アーム及び弾性アームに一端同士を連結する連結脚と、を有し、前記第１コンタクトの第２アームは、前記ハウジングの凹部の底面と反対方向に延びる受け部を先端側に有し、前記第２コンタクトの第２アームは、前記ハウジングの凹部の底面に延びる押さえ部を先端側に有し、前記カバーハウジングは、前記ハウジングの凹部の底面側に延びて前記第１コンタクトの受け部と係合する係合部と、前記第２コンタクトの押さえ部と前記ハウジングの凹部の底面との間に位置して前記押さえ部に押さえられる支持部と、前記第３コンタクトの弾性アームと前記ハウジングの凹部の底面との間に位置して前記弾性アームの先端側に係止するカム部と、を有しているコネクタ。
【００３９】
（１）の発明によるコネクタは、ＦＰＣが挿入される凹部が形成された略直方体状のハウジングを備えている。このコネクタは、ハウジングの凹部に挿入されたＦＰＣと導電接続するコネクタであってよく、ハウジングは絶縁性を有している。例えば、この凹部は一方の端部側が開口し、この凹部は他方の端部側にＦＰＣの挿入端部が当接される差込口が形成されている。
【００４０】
ＦＰＣは、絶縁性のポリエステルやポリイミドで形成されるベースフィルムに導体パターンとなる銅箔が接着されている。導体パターンは絶縁被膜で被覆されているが、ＦＰＣの端部は、例えば、コネクタに備わるコンタクトと導電接触するために導体パターンが露出している。本発明によるコネクタに適用されるＦＰＣは、ベースフィルムの両側に導体パターンが備わる両面ＦＰＣが好ましく、両面ＦＰＣの端部はベースフィルムの両側に導体パターンが露出している。
【００４１】
前記絶縁性のハウジングとは、非導電性の材料からなるハウジングのことであってよく、例えば、ＰＰＳ（ｐｏｌｙｐｈｅｎｙｌｅｎｅ  ｓｕｌｆｉｄｅ）やＰＢＴ（ｐｏｌｙｂｕｔｙｌｅｎｅ  ｔｅｒｅｐｈｔｈａｌａｔｅ）などのエンジニアリングプラスチックを成型して、絶縁性のハウジングを得ることができる。
【００４２】
略直方体状のハウジングは、例えば、ＦＰＣが挿入されるための薄直方体状の凹部が形成される。ＦＰＣは、この凹部の開口側から差込口に向って挿入される。ＦＰＣがこの凹部に挿入されるにあたり、例えば、この凹部を形成する対向する一対の立設壁がＦＰＣの幅方向を案内して、後述する複数の第１から第３コンタクトと位置合わせされるようにしてもよい。
【００４３】
差込口は、例えば、ＦＰＣの挿入端部が挿入されるべくＵ字状の溝が形成され、Ｕ字状の溝の底面にＦＰＣの挿入端部が当接される停止壁が設けられてよい。当該停止壁はＦＰＣの挿入端部の両端部が当接するように一対に設けられてもよく、当該停止壁は後述する複数の第１から第３コンタクトの極間壁に櫛の歯状に設けられてもよい。
【００４４】
凹部の底面から所定の開き角度をもって斜めにＦＰＣが差し込めるように、差込口は、ＦＰＣの厚みより僅かに大きく、かつ凹部の底面と対向する面は斜面が形成されてもよい。そして、このコネクタは、ＦＰＣを差込口に挿抜するときにほとんど力を必要としないＺＩＦコネクタを構成している。
【００４５】
（１）の発明によるコネクタは、ハウジングの凹部を開閉可能に覆う略矩形板状のカバーハウジングを備えている。例えば、カバーハウジングは、ハウジングに回動自在に両端支持される開閉軸が一方の端部に設けられている。そして、カバーハウジングの他方の端部は凹部の開口を開閉する。
【００４６】
開閉軸は、カバーハウジングと一体で非導電性の材料からなっていると考えられてよい。例えば、このカバーハウジングにおける一方の端部の両翼に開閉軸と同軸となる一対の円柱突起を配置し、この一対の円柱突起が回動可能にハウジングに両端支持されてもよい。ハウジングに圧入される一対の支持部材（例えば、後述する一対のタブ）が、この一対の円柱突起を回動可能に支持するようにしてもよい。
【００４７】
前記カバーハウジングが凹部を開閉可能に覆うとは、ＦＰＣが挿入されるべく、凹部を覆うカバーハウジングを開き、後述する複数の第１から第３コンタクトとＦＰＣが導電接触すべく、カバーハウジングがＦＰＣを凹部の底面側に押圧するために閉じて、この凹部を覆うことを意味している。カバーハウジングが閉じたときに、閉姿勢を維持するためにこのコネクタにロック機構を設けてもよい。
【００４８】
前記ハウジングは、交互に並設配置される第１コンタクト及び第２コンタクトを内部に備えている。又、ハウジングは、互いに隣接する一対の第１コンタクトと第２コンタクトとの間に配置される第３コンタクトを内部に備えている。
【００４９】
例えば、ハウジングには、凹部の開口側から差込口、更に差込口の後方に至る縦長の矩形溝が櫛の歯状に複数形成されており、凹部の開口側からこの縦長の矩形溝に第１コンタクト及び第２コンタクトが圧入されて、交互に並設配置される。
【００５０】
例えば、前記縦長の矩形溝は、凹部の開口側から一定距離は第１アームが撓むことを妨げないように第１及び第２コンタクトの板厚より僅かに広くなっている。そして、一定距離以降は第1及び第２コンタクトの板厚より僅かに狭くなっている。ハウジングの後部（凹部の対向側）において、第1及び第２コンタクトの上下方向がハウジングに圧入されていると言ってもよい。
【００５１】
例えば、第１コンタクトと第２コンタクトは板厚を同じとし、第１コンタクトが挿入されるための前記縦長の矩形溝に第２コンタクトを挿入することもでき、第２コンタクトが挿入されるための前記縦長の矩形溝に第１コンタクトを挿入することもできる。
【００５２】
第３コンタクトは、例えば、前記凹部の反対側から前記ハウジングに圧入されて固定されてよく、第３コンタクトは、互いに隣接する一対の第１コンタクトと第２コンタクトとの間に配置される。互いに隣接する一対の第１コンタクトと第２コンタクトとの間に第３コンタクトが配置されるとは、第１コンタクトに隣接して第３コンタクトが配置される場合を含み、第２コンタクトに隣接して第３コンタクトが配置される場合を含む。
【００５３】
前記第１コンタクト及び前記第２コンタクトは、互いに向かい合う方向に延びる第１アーム及び第２アームを有している。又、これら第１アーム及び第２アームの基端同士を連結する水平脚を有している。
【００５４】
例えば、第１アームは、水平脚の一方の端部から立脚分岐して更に凹部の開口側から差込口に向けて延出分岐している。そして、第１アームの延出端部に、凹部の底面から突出してＦＰＣと弾性接触する第１接点が設けられる。第２アームは水平脚の他方の端部から立脚分岐して更に第２アームに向けて延出分岐している。水平脚は第１アーム及び第２アームの基端同士を連結するとは、第１アーム及び第２アームは、ばねの働きが片持梁、いわゆるカンチレバーとなっていることを意味している。
【００５５】
例えば、ＦＰＣの挿入端部が当接される差込口の輪郭を囲むように第１及び第２コンタクトにおける他方の端部で対向している水平脚と第２アームとでＵの字状の溝が形成されている。第１及び第２コンタクトは、前記Ｕの字状の溝を輪郭とする部分にＦＰＣが挿入されるべく幅広となっている。
【００５６】
前記第３コンタクトは、固定アームと、この固定アームに対向する弾性アームと、前記固定アーム及び弾性アームに一端同士を連結する連結脚と、を有している。例えば、固定アームは凹部の反対側からハウジングに圧入されてハウジングに固定される。弾性アームには、凹部の底面に向けて突出してＦＰＣと弾性接触する第２接点が設けられる。固定アームがハウジングに圧入された状態において、弾性アームは、ばねの働きが片持梁のコンタクト、いわゆるカンチレバーコンタクトとなっている。
【００５７】
前記第１コンタクトの第２アームは、ハウジングの凹部の底面と反対方向に延びる受け部を先端側に有している。一方、カバーハウジングは、ハウジングの凹部の底面側に延びて第１コンタクトの受け部と係合する係合部を有している。
【００５８】
例えば、第１コンタクトの第２アームの先端側は、カバーハウジングの開閉軸となる係合部を回動可能に係合する円弧状の受け部を有している。そして、開閉軸となる係合部を凹部の底面に向う方向に抗して、円弧状の受け部が支持する。受け部が凹部の底面と反対方向に延びるとは、例えば、円柱状の係合部が受け部から離脱すべく、円弧状の受け部が凹部から離反する方向に開口していることを意味している。
【００５９】
前記第２コンタクトの第２アームは、ハウジングの凹部の底面側に延びる押さえ部を先端側に有している。一方、カバーハウジングは、第２コンタクトの押さえ部とハウジングの凹部の底面との間に位置して押さえ部に押さえられる支持部を有している。
【００６０】
例えば、第２コンタクトの第２アームの先端側は、カバーハウジングの開閉軸となる支持部を回動可能に押さえる直刃状の押さえ部を有している。そして、開閉軸となる支持部を凹部の底面から離反する方向に抗して、押さえ部が押さえる。押さえ部が凹部の底面側に延びるとは、例えば、支持部が直刃状の押さえ部から離脱すべく、凹部の底面に向う方向に、支持部が直刃状の押さえ部と接触していないことを意味している。
【００６１】
更に、前記カバーハウジングは、第３コンタクトの弾性アームとハウジングの凹部の底面との間に位置して前記弾性アームの先端側に係止するカム部を有している。そして、弾性アームの先端側がカム部に係止してカバーハウジングの開姿勢及び閉姿勢を維持する。
【００６２】
カム部は、開閉軸の周囲に形成され、平面曲線を輪郭とする板カムであって、輪郭の一部が開閉軸の中心軸から偏位している偏心カムでもある。そして、弾性アームの先端はカム部の回転運動により変位される従動節となっている。
【００６３】
ＦＰＣがハウジングに挿入されていない状態で、カバーハウジングが閉じられているときは、弾性アームの先端はカム部に係止して閉姿勢を維持する。ＦＰＣがハウジングに挿入されていない状態で、カバーハウジングを開いたときは、弾性アームの先端側はカム部を係止して開姿勢を維持する。カバーハウジングは９０度以上、例えば１２０度程度まで開き角度を有する。
【００６４】
カバーハウジングを開いたときは、弾性アームの先端側と共に第２接点が、凹部の底面から離反する方向に弾性変形される。そして、凹部の底面と複数の第２接点間にＦＰＣが挿入可能となる。ＦＰＣが挿入されてカバーハウジングが閉じられたときは、第２接点は弾性復帰して複数の第２接点はＦＰＣと弾性接触する。このとき、弾性アームの先端側はカム部から離反している。
【００６５】
ここで、カバーハウジングの開閉軸は、第１コンタクトの受け部と係合する係合部と、第２コンタクトの押さえ部に押さえられる支持部と、第３コンタクトの弾性アームの先端側に係止するカム部と、を含んでいる。更に、カバーハウジングの開閉軸は、カバーハウジングにおける一方の端部の両翼に配置される一対の円柱突起を含んでいる。これら係合部、支持部、カム部、円柱突起が開閉軸の軸方向に配置される。
【００６６】
（１）の発明によるコネクタは、複数の第３コンタクトは一定の間隔で並設され、複数の第１コンタクト及び複数の第２コンタクトは複数の第３コンタクト間に当該複数の第１及び第２コンタクトと同じ間隔で交互に並設されているとしてもよく、カバーハウジングを開くときは、複数の弾性アームが開閉軸に与える力に抗して複数の受け部が開閉軸を支持する。ＦＰＣが挿入されてカバーハウジングが閉じられるときは、複数の支持部が開閉軸に与える力に抗して複数の押さえ部が開閉軸を押さえる。
【００６７】
ここで、並設されるとは、近接させて一列に揃え、並べて配置されることを意味している。一定の間隔とは、ＦＰＣの導体パターン（ＦＰＣの端部に露出され導体パターン）の間隔と同じであってよい。そして、複数の第３コンタクト間に配置される複数の第１コンタクト及び複数の第２コンタクトは、複数の第３コンタクトと半ピッチだけずらされて交互に並設される。
【００６８】
複数の第１コンタクト及び第２コンタクトは、両面ＦＰＣの一方の面に露出する導体パターンに接触すると考えられてよく、複数の第３コンタクトは、両面ＦＰＣの一方の面と相反する他方の面に露出する導体パターンに接触すると考えられてよい。
【００６９】
カバーハウジングを開くときは、両端支持された開閉軸は複数の弾性アームがカム部に係止して等分布荷重が作用する。この等分布荷重は開閉軸が凹部に向う力となって作用する。一方、開閉軸は、凹部に向う方向に抗して開閉軸の係合部を複数の受け部が係合しているので、開閉軸は軸方向の中央部が撓むことなく、カバーハウジングを容易に開くことができる。
【００７０】
ＦＰＣが挿入されてカバーハウジングが閉じられるときは、両端支持された開閉軸は複数の第１接点に押圧されて等分布荷重が作用する。この等分布荷重は開閉軸が凹部から離反する力となって作用する。一方、開閉軸は、凹部から離反する方向に抗して開閉軸の支持部を複数の押さえ部が押さえているので、開閉軸は軸方向の中央部が撓むことなく、カバーハウジングを閉じることができる。そして、第１接点との接触不良も防止できる。
【００７１】
更に、弾性アームの固定端はハウジングに保持されておらず、弾性アームは変動自在にハウジングに内装されている。このような構造を有するＦＰＣ用のコネクタにあっては、例えば、従来のようにスタビライザ脚の固定端を保持するハウジングの極間壁に座屈するように応力が作用し、破損しやすいということが防止できる。
【００７２】
このような構造を有するＦＰＣ用のコネクタは、コンタクトは多ピン、狭ピッチであり、低背であるＦＰＣ用のコネクタにおいて、開閉するカバーハウジングの開閉軸が変位しないようにしている。このようなＦＰＣ用のコネクタにあっては、開閉軸の変位によるコンタクトの接触不良を防止できる。
【００７３】
（２）  前記第１コンタクトの第２アーム及び前記第２コンタクトの第２アームは、断面２次モーメントの大きい剛性腕となっている（１）記載のコネクタ。
【００７４】
第１コンタクトの第２アームの先端側は、係合部を係合する受け部を有している。カバーハウジングを開くときは、係合部が凹部の底面に向う方向に抗して、受け部が係合部を係合する。この第１コンタクトの第２アームは断面２次モーメントの大きい剛性腕となっている。
【００７５】
第２コンタクトの第２アームの先端側は、支持部を押さえる押さえ部を有している。カバーハウジングを閉じるときは、支持部が凹部の底面から離反する方向に抗して押さえ部が支持部を押さえる。この第２コンタクトの第２アームは断面２次モーメントの大きい剛性腕となっている。
【００７６】
例えば、自由端となる受け部に荷重が作用する片持梁となる第２アームは、矩形断面の板厚を「ｂ」とし、幅を「ｈ」とすれば、当該第２アームの断面２次モーメントＩはＩ＝ｂｈ３／１２の計算式で算出され、幅広の第２アームは断面２次モーメントを大きいものとする断面形状としている。加えて、第２アームの延出端部はハウジングからの延出距離を短くしており、荷重が作用する受け部及び押さえ部の撓み量を少ないものとしている。
【００７７】
このような構造を有する第２アームは、カバーハウジングを開いたときに、開閉軸が凹部に向う方向に抗して開閉軸を受け部が支持している。すなわち、等分布荷重が作用する開閉軸が凹部に向う方向に変位しないように、断面２次モーメントの大きい剛性腕となっている複数の第１コンタクトの第２アームが開閉軸を支持している。
【００７８】
このような構造を有する第２アームは、ＦＰＣを挿入してカバーハウジングを閉じたときに、開閉軸が凹部から離反する方向に抗して開閉軸を押さえ部が支持している。すなわち、等分布荷重が作用する開閉軸が凹部から離反する方向に変位しないように、断面２次モーメントの大きい剛性腕となっている複数の第２コンタクトの第２アームが開閉軸を支持している。
【００７９】
（３）  前記カム部は、前記カバーハウジングの閉姿勢を維持する第１輪郭部と、この第１輪郭部に連続して前記カバーハウジングの開姿勢を維持する第２輪郭部とを有し、前記弾性アームの先端側がこの第２輪郭部に係合しているときは、前記ＦＰＣが挿抜できるように当該弾性アームの先端側が前記凹部の底面から離反する方向に弾性変形される（１）又は（２）記載のコネクタ。
【００８０】
（３）の発明によるコネクタは、カム部がカバーハウジングの閉姿勢を維持する第１輪郭部を有している。カム部は、この第１輪郭部に連続してカバーハウジングの開姿勢を維持する第２輪郭部とを有している。そして、弾性アームの先端側が第２輪郭部に係合しているときは、ＦＰＣが挿抜できるように弾性アームの先端側が凹部の底面から離反する方向に弾性変形される。
【００８１】
ＦＰＣが挿入されていない状態において、カバーハウジングが閉じられているときは、弾性アームの先端側は第１輪郭部に当接してカバーハウジングの閉姿勢を維持している。カバーハウジングが開かれるときは、開閉軸の軸中心から離れた第２輪郭部が弾性アームの先端側を弾性変位させる。そして、弾性アームの復帰力により当該弾性アームの先端側が第２輪郭部を付勢して、カバーハウジングの開状態が維持される。
【００８２】
（４）  前記第１輪郭部及び第２輪郭部に連続する第３輪郭部は、前記ＦＰＣを前記凹部の底面側に押圧する押圧部を形成している（１）から（３）のいずれかに記載のコネクタ。
【００８３】
（４）の発明によるコネクタは、第１輪郭部及び第２輪郭部に連続する第３輪郭部がＦＰＣを凹部の底面側に押圧する押圧部を形成している。
【００８４】
例えば、凹部の底面から突出する第１接点は、ＦＰＣとの接触を確実にするために、開閉軸の軸中心の直下に配置されることが好ましく、第１接点はカバーハウジングが閉じる方向に回動されるように、開閉軸の軸中心の直下を超えて配置されることがより好ましい。そして、このように好適に配置される第１接点に対して、カム部の周囲に形成される第３輪郭部がＦＰＣを凹部の底面側に押圧することにより、ＦＰＣとの接触を確実にすることができる。
【００８５】
（５）  前記第１及び第２コンタクトは、前記凹部の開口側から前記ＦＰＣの反挿入方向に第１及び第２リード部が延出し、前記第３コンタクトは前記凹部の反対側から前記ＦＰＣの挿入方向に第３リード部が延出し、この第１から第３リード部の底面がプリント基板に接合される（１）から（４）のいずれかに記載のコネクタ。
【００８６】
（５）の発明によるコネクタは、第１及び第２コンタクトは、凹部の開口側からＦＰＣの反挿入方向に第１及び第２リード部が延出している。第３コンタクトは凹部の反対側からＦＰＣの挿入方向に第３リード部が延出している。一方、そして、第１から第３リード部の底面がプリント基板に、例えば、はんだ接合されている。
【００８７】
このコネクタは、複数の第１から第３リード部がプリント基板にはんだ接合されることによって、このコネクタがプリント基板に表面実装されるプリント基板用コネクタを実現している。
【００８８】
更に、第１リード部及び第２リード部と第３リード部は相反する２方向に分散されるので、第１及び第２リード部と第３リード部が一方向に延出している場合と比較して、第１から第３リード部に接続されるパターン間のピッチを拡大できる。特に、パターン間のピッチが０．２ｍｍ程度の狭ピッチの場合は有効である。
【００８９】
（６）  前記ハウジングの両翼に配置され、前記カバーハウジングの両端部に形成される開閉軸を回動可能に支持する一対のタブを備え、この一対のタブの底面が前記プリント基板に接合される（１）から（５）のいずれかに記載のコネクタ。
【００９０】
（６）の発明によるコネクタは、ハウジングの両翼に配置され、開閉軸の両端部に形成される開閉軸を回動可能に支持する一対のタブを備えている。この一対のタブの底面がプリント基板に、例えば、はんだ接合されている。
【００９１】
一対のタブは、例えば、プリント基板に「はんだ」接合容易な金属材で形成されてよく、ハウジングに圧入するために剛体の金属板であってもよい。一対のタブは、開閉軸を両端支持していると共に、ハウジングに圧入されてプリント基板に接合されることにより、プリント基板に対するこのコネクタの接合強度を補完している。
【００９２】
（７）  表裏面の導体間隔が０．２ｍｍピッチに形成されている両面ＦＰＣと導電接続可能とする（１）から（６）のいずれかに記載のコネクタ。
【００９３】
（８）  前記導体本数が８０極である両面ＦＰＣと導電接続可能とする（１）から（６）のいずれかに記載のコネクタ。
【発明の効果】
【００９４】
本発明のコネクタは、コンタクトは多ピン、狭ピッチであり、低背のＦＰＣ用のコネクタにおいて、カバーハウジングの開閉軸を変位させないように、開閉軸の撓み方向に抗して開閉軸を挟持する複数の第１及び第２コンタクトを交互に並列配置し、カバーハウジングの開閉姿勢を維持する複数の第３コンタクトを第１及び第２コンタクト間に配置する構造としたので、カバーハウジングが確実に開閉し、接点がＦＰＣと正しく確実に接触することができる。
【００９５】
更に、弾性アームの固定端はハウジングに保持されておらず、弾性アームは変動自在にハウジングに内装されている。このような構造を有するＦＰＣ用のコネクタにあっては、例えば、従来のようにスタビライザ脚の固定端を保持するハウジングの極間壁に座屈するように応力が作用し、破損しやすいということが防止できる。
【発明を実施するための最良の形態】
【００９６】
以下、図面を参照して本発明を実施するための最良の形態を説明する。
【００９７】
図１は、本発明によるＦＰＣ用のコネクタ（以下、コネクタと略称する）の一実施形態を示す斜視外観図である。図１はカバーハウジングが閉じられた状態図であり、要部を断面としている。図２は、前記実施形態によるカバーハウジングが閉じた状態でのコネクタの平面図である。図３は、前記実施形態によるカバーハウジングが閉じた状態でのコネクタの正面図である。
【００９８】
図４は、前記実施形態による第３コンタクトの側面を断面とする縦断面図である。図５は、前記実施形態による第１コンタクトの側面を断面とする縦断面図である。図６は、前記実施形態による第２コンタクトの側面を断面とする縦断面図である。
【００９９】
図７は、前記実施形態によるタブの側面を断面とする縦断面図であり、ハウジングにカバーハウジングが組み立てられる前の状態図である。図８は、前記実施形態によるタブの側面を断面とする縦断面図であり、ハウジングにカバーハウジングが組み立てられた状態図である。図９は、前記実施形態によるタブの側面を断面とする縦断面図であり、カバーハウジングが開いた状態図である。図１０は、前記実施形態によるコネクタの斜視外観図である。図１０はカバーハウジングが開いた状態図であり、要部を断面としている。
【０１００】
図１１は、前記実施形態による第３コンタクトの側面を断面とする縦断面図であり、カバーハウジングが開いた状態図である。図１２は、前記実施形態による第１コンタクトの側面を断面とする縦断面図であり、カバーハウジングが開いた状態図である。図１３は、前記実施形態による第２コンタクトの側面を断面とする縦断面図であり、カバーハウジングが開いた状態図である。
【０１０１】
最初に、本発明によるコネクタの構成を説明する。図１において、コネクタ２００は、ＦＰＣ１が挿入され、ＦＰＣ１と導電接続するコネクタであって、絶縁性のハウジング２を備えている。ハウジング２はＦＰＣ１が挿入されるための凹部２１を有している。凹部２１は一方の端部側が開口し、凹部２１は他方の端部側にＦＰＣ１の挿入端部１１が当接される差込口２２が形成されている。ハウジング２の内部に配列されている複数の第１から第３コンタクト４・５・６とＦＰＣ１とが導電接続する。
【０１０２】
図１において、ハウジング２は非導電性の材料からなる絶縁性の合成樹脂で成形されている。ハウジング２は、略直方体状に形成され、ＦＰＣ１が挿入されるための薄直方体状の凹部２１が形成されている。ＦＰＣ１は、凹部２１の開口側から差込口２２に向って挿入される。
【０１０３】
ＦＰＣ１が凹部２１に挿入されるにあたり、凹部２１を形成する対向する一対の立設壁２１ａ・２１ｂ（図１０参照）がＦＰＣ１の幅方向を案内して、複数の第１から第３コンタクト４・５・６と位置合わせされる。そして、ハウジング２に配列されている複数の第１から第３コンタクト４・５・６とＦＰＣ１が導電接続する。
【０１０４】
図１１又は図１２に示されるように、凹部２１の底面２３から所定の開き角度をもって斜めにＦＰＣ１が差し込めるように、差込口２２は、ＦＰＣ１の厚みより僅かに大きく、かつ凹部２１の底面２３と対向する面は斜面が形成されている。そして、コネクタ２００は、ＦＰＣ１を差込口２２に挿抜するときにほとんど力を必要としないＺＩＦコネクタを構成している。
【０１０５】
図１において、コネクタ２００は、略矩形板状のカバーハウジング３を備えている。カバーハウジング３は、非導電性の材料からなる絶縁性の合成樹脂で成形されている。カバーハウジングは３、ハウジング２に回動自在に両端支持される開閉軸３１が一方の端部に設けられている。カバーハウジング３の他方の端部は凹部２１を開閉する。カバーハウジング３が開くことにより、ＦＰＣ１は差込口２２に挿入可能となる。
【０１０６】
図１において、カバーハウジング３は、一方の端部の両翼に開閉軸３１と同軸となる一対の円柱突起３１ａ・３１ｂ（図１０参照）が配置されている。一対の円柱突起３１ａ・３１ｂが回動可能にハウジング２に両端支持されている。より具体的には、ハウジング２に圧入される一対のタブ２ａ・２ｂが、一対の円柱突起３１ａ・３１ｂを回動可能に支持している。
【０１０７】
そして、カバーハウジング３が閉じることにより、差込口２２に挿入されたＦＰＣ１を押圧して、複数の第１から第３コンタクト４・５・６に当接させる。そして、カバーハウジング３が閉じたときに、カバーハウジング３の閉姿勢を維持するためにロック機構が設けられている。なお、このロック機構は後に説明する。
【０１０８】
図１又は図２に示されるように、コネクタ２００は複数の第１コンタクト４を備えている。そして、図５に示されるように、第１コンタクト４は、互いに向かい合う方向に延びる第１アーム４１及び第２アーム４２を有している。又、第１コンタクト４は水平脚４０を有し、水平脚４０は第１アーム４１と第２アーム４２の基端同士を連結している。第１コンタクト４は、例えば、金属薄板を精密打ち抜き加工して得られる。
【０１０９】
図５に示されるように、第１コンタクト４は凹部２１側からハウジング２に圧入されている。第１アーム４１は、水平脚４０の一方の端部から立脚分岐して更に凹部２１の開口側から差込口２２に向けて延出分岐している。そして、第１アーム４１の延出端部には、凹部２１の底面２３から突出してＦＰＣ１と弾性接触する第１接点４ｐが設けられている。
【０１１０】
図５に示されるように、第２アーム４２は、水平脚４０の他方の端部から立脚分岐して更に第１接点４ｐに向けて延出分岐している。第２アーム４２の先端側４２ａには、係合部３１ｄを回動可能に係合する受け部４２１が設けられている。そして、係合部３１ｄが凹部２１に向う方向に抗して、係合部３１ｄを受け部４２１が支持する。図５において、第２アーム４２は断面２次モーメントの大きい剛性腕となっている。
【０１１１】
図１０に示されるように、ハウジング２には、凹部２１の開口側から差込口２２、更に差込口２２の後方に至る縦長の矩形溝が櫛の歯状に複数形成されており、凹部２１の開口側からこの縦長の矩形溝に複数の第１コンタクト４が圧入される。そして、第１アーム４１の第１接点４ｐが凹部２１の底面２３から突出している（図５参照）。
【０１１２】
図１０に示されるように、前記縦長の矩形溝は、凹部２１の開口側から一定距離は第１アーム４１が撓むことを妨げないように第１コンタクト４の板厚より僅かに広くなっている。そして、一定距離以降は第１コンタクト４の板厚より僅かに狭くなっている。ハウジング２の後部（凹部２１の対向側）において、第１コンタクト４の上下方向がハウジング２に圧入されている（図５参照）。
【０１１３】
又、図５において、ＦＰＣ１の挿入端部１１（図１参照）が当接される差込口２２の輪郭を囲むように、第１コンタクト４における他方の端部で対向している水平脚４０と第２アーム４２とでＵの字状の溝が形成されている。第１コンタクト４は、前記Ｕの字状の溝を輪郭とする部分にＦＰＣ１が挿入されるべく幅広となっている。
【０１１４】
図１又は図２に示されるように、コネクタ２００は複数の第２コンタクト５を備えている。そして、図６に示されるように、第２コンタクト５は、互いに向かい合う方向に延びる第１アーム５１及び第２アーム５２を有している。又、第２コンタクト５は水平脚５０を有し、水平脚５０は第１アーム５１と第２アーム５２の基端同士を連結している。第２コンタクト５は、例えば、金属薄板を精密打ち抜き加工して得られる。
【０１１５】
図６に示されるように、第２コンタクト５は凹部２１側からハウジング２に圧入されている。第１アーム５１は、水平脚５０の一方の端部から立脚分岐して更に凹部２１の開口側から差込口２２に向けて延出分岐している。そして、第１アーム５１の延出端部には、凹部２１の底面２３から突出してＦＰＣ１と弾性接触する第１接点５ｐが設けられている。
【０１１６】
図６に示されるように、第２アーム５２は、水平脚５０の他方の端部から立脚分岐して更に第１接点５ｐに向けて延出分岐している。第２アーム５２の先端側５２ａには、支持部３１ｅを回動可能に押さえる押さえ部５２１が設けられている。そして、支持部３１ｅが凹部２１から離反する方向に抗して、支持部３１ｅを押さえ部５２１が支持する。図６において、第２アーム５２は断面２次モーメントの大きい剛性腕となっている。
【０１１７】
図１０に示されるように、ハウジング２には、凹部２１の開口側から差込口２２、更に差込口２２の後方に至る縦長の矩形溝が櫛の歯状に複数形成されており、凹部２１の開口側からこの縦長の矩形溝に複数の第２コンタクト５が圧入される。そして、第１アーム５１の第１接点５ｐが凹部２１の底面２３から突出している（図６参照）。
【０１１８】
図１０に示されるように、前記縦長の矩形溝は、凹部２１の開口側から一定距離は第１アーム５１が撓むことを妨げないように第２コンタクト５の板厚より僅かに広くなっている。そして、一定距離以降は第２コンタクト５の板厚より僅かに狭くなっている。ハウジング２の後部（凹部２１の対向側）において、第２コンタクト５の上下方向がハウジング２に圧入されている（図６参照）。
【０１１９】
又、図６において、ＦＰＣ１の挿入端部１１（図１参照）が当接される差込口２２の輪郭を囲むように、第２コンタクト５における他方の端部で対向している水平脚５０と第２アーム５２とでＵの字状の溝が形成されている。第２コンタクト５は、前記Ｕの字状の溝を輪郭とする部分にＦＰＣ１が挿入されるべく幅広となっている。
【０１２０】
図１０において、第１コンタクト４と第２コンタクト５は板厚を同じとしている。したがって、第１コンタクト４が挿入されるための前記縦長の矩形溝に、第２コンタクト５を挿入することもでき、第２コンタクト５が挿入されるための前記縦長の矩形溝に、第１コンタクト４を挿入することもできる。
【０１２１】
図１又は図２に示されるように、コネクタ２００は複数の第３コンタクト６を備えている。そして、図４に示されるように、第３コンタクト６は、固定アーム６１と、固定アーム６１と対向する弾性アーム６２を有している。第３コンタクト６は、固定アーム６１と弾性アーム６２の一方の端部が連結される連結脚６３を有している。第３コンタクト６は、例えば、金属薄板を精密打ち抜き加工して得られる。
【０１２２】
図４に示されるように、固定アーム６１は、凹部２１の反対側からハウジング２に圧入されてハウジング２に固定される。そして、弾性アーム６２の先端側６２ａが開閉軸３１の周囲に形成されるカム部３１ｃに係止してカバーハウジング３の開姿勢及び閉姿勢を維持する。又、弾性アーム６２には、凹部２１の底面２３に向けて突出し、ＦＰＣ１（図１２及び図１３参照）と弾性接触する第２接点６ｐが設けられている（図４参照）。
【０１２３】
固定アーム６１がハウジング２に圧入された図４の状態において、弾性アーム６２は、ばねの働きが片持梁のコンタクト、いわゆるカンチレバーコンタクトとなっている。カム部３１ｃは、平面曲線を輪郭とする板カムであって、前記輪郭の一部が開閉軸３１の中心から偏位している偏心カムでもある。そして、弾性アーム６２の先端側６２ａは、カム部３１ｃの回転運動により変位される従動節となっている。
【０１２４】
図２又は図３に示されるように、ハウジング２は、交互に並設配置される第１コンタクト４及び第２コンタクト５を内部に備えている。又、ハウジング２は、互いに隣接する一対の第１コンタクト４と第２コンタクト５との間に配置される第３コンタクト６を内部に備えている。コネクタ２００は、複数の第３コンタクト６が一定の間隔で並設され、複数の第１コンタクト４及び複数の第２コンタクト５は、複数の第３コンタクト６間に複数の第３コンタクト６と同じ間隔で交互に並設されているとしてもよい。
【０１２５】
図２又は図３において、複数の第３コンタクト６は、ＦＰＣ１の導体パターン（ＦＰＣ１の端部１１に露出された導体パターン）の間隔と同じ間隔で配置されている。そして、複数の第３コンタクト６間に配置される複数の第１コンタクト４及び複数の第２コンタクト５は、複数の第２コンタクト５と半ピッチだけずらされて交互に並設されている。
【０１２６】
図１において、複数の第１コンタクト４及び複数の第２コンタクト５は、ＦＰＣ１の一方の面に露出する導体パターンに接触する。複数の第３コンタクト６は、ＦＰＣ１の一方の面と相反する他方の面に露出する導体パターンに接触する。コネクタ２００は、両面ＦＰＣに適用されることが好ましいが、片面ＦＰＣに適用することもできる。
【０１２７】
図５又は図６に示されるように、第１コンタクト４及び第２コンタクト５は、凹部２１の開口側からＦＰＣ１の反挿入方向に第１リード部４ｒ及び第２リード部５ｒが延出している（図５及び図６参照）。一方、第３コンタクト６は凹部２１の反対側からＦＰＣ１の挿入方向に第３リード部６ｒが延出している（図２及び図４参照）。そして、第１から第３リード部４ｒ・５ｒ・６ｒのそれぞれの底面は図示されないプリント基板に、はんだ接合される。
【０１２８】
コネクタ２００は、複数の第１から第３リード部４ｒ・５ｒ・６ｒがプリント基板に、はんだ接合されることによって、コネクタ２００がプリント基板に表面実装されるプリント基板用コネクタを実現している。
【０１２９】
図１において、コネクタ２００は、ハウジング２の両翼に配置され、開閉軸３１の両端部を回動可能に支持する一対のタブ２ａ・２ｂを備えている。一対のタブ２ａ・２ｂはハウジング２に圧入されている。そして、一対のタブ２ａ・２ｂの底面が図示されないプリント基板に、はんだ接合されている。なお、タブ２ａとタブ２ｂ（図７参照）とは同じものであるが、コネクタ２００での配置が判別されるように便宜上、タブ２ａとタブ２ｂとに区別した。
【０１３０】
一対のタブ２ａ・２ｂは、プリント基板に「はんだ」接合容易な金属材で形成されており、ハウジングに圧入するために剛体の金属板で形成されている。一対のタブ２ａ・２ｂは、開閉軸３１を両端支持していると共に、ハウジング２に圧入されてプリント基板に接合されることにより、プリント基板に対するコネクタ２００の接合強度を補完している。
【０１３１】
次に、前述のロック機構の構成を説明する。図１０に示されるように、一対のディテント３３ａ・３３ｂが、カバーハウジング３の両翼に相反する方向に突出している。一方、一対のディテント３３ａ・３３ｂと嵌合される一対のインデント２３ａ・２３ｂが、対向するようにハウジング２の開口側の内壁側面に形成されている。
【０１３２】
図９又は図１０に示されるように、カバーハウジング３を開いた状態から、カバーハウジング３を回動すると、一対のディテント３３ａ・３３ｂは、一対のインデント２３ａ・２３ｂを押し広げる。そして、一対のディテント３３ａ・３３ｂが、一対のインデント２３ａ・２３ｂに嵌合することにより、カバーハウジング３は閉じられた状態にロックされる。なお、カバーハウジング３を一対のインデント２３ａ・２３ｂを押し広げる強い力で、カバーハウジング３を開くことによりロックを解除できる。
【０１３３】
次に、図面を参照して本発明によるコネクタの組み立て方法を説明する。
【０１３４】
最初に、複数の第３コンタクト６がハウジング２に組み込まれる。図４に示されるように、複数の第３コンタクト６は、凹部２１の反対側からハウジング２に圧入されてハウジング２に固定される。なお、この段階では、カバーハウジング３はハウジング２に組み込まれていない。
【０１３５】
次に、複数の第２コンタクト５がハウジング２に組み込まれる。図６に示されるように、複数の第２コンタクト５は、凹部２１側からハウジング２に圧入されてハウジング２に固定される。なお、この段階においても、カバーハウジング３はハウジング２に組み込まれていない。
【０１３６】
図７に示されるように、タブ２ｂの上縁は、背の低い平坦面２１１が形成されており、背の低い平坦面２１１に連続して傾斜面２１２が形成されており、傾斜面２１２に連続して背の高い平坦面が形成された後に、円柱突起３１ｂを回動可能に支持する円弧面２１３が形成されている。
【０１３７】
このような形状を有する一対のタブ２ａ・２ｂの平坦面２１２に、一対の円柱突起３１ａ・３１ｂが対向配置されて、一対のタブ２ａ・２ｂはハウジング２に仮挿入される（図７参照）。一方、図５に示されるように、複数の第１コンタクト４は係合部３１ｄが受け部４２１に係合されて、ハウジング２に仮挿入される。この段階では、図７に示されるように、カバーハウジング３はハウジング２から一定距離、離間している。
【０１３８】
次に、一対のタブ２ａ・２ｂをハウジング２に挿入（圧入）すると、一対の円柱突起３１ａ・３１ｂはハウジング２に当接し、一対の円柱突起３１ａ・３１ｂは傾斜面２１２に倣ってその軸中心Ｑは僅かに上昇し、円弧面２１３に至る。このとき、複数の第１コンタクト４もハウジング２に圧入される。
【０１３９】
一対のタブ２ａ・２ｂ及び複数の第１コンタクト４が、ハウジング２に完全に挿入（圧入）された段階においては、係合部３１ｄ（図５参照）を含む軸中心は、弾性アーム６２の先端側６２ａ及び第２アーム５２の先端側５２ａにより上方から支持される。
【０１４０】
一方、一対の円柱突起３１ａ・３１ｂが、一対のタブ２ａ・２ｂに形成された円弧面２１３により下方から支持される。又、係合部３１ｄは受け部４２１により下方から支持される。
【０１４１】
次に、図面を参照して本発明によるコネクタの作用を説明する。
【０１４２】
図１に示されるように、カバーハウジング３の開閉軸３１は、第１コンタクト４の受け部４２１（図５参照）と係合する係合部３１ｄと、第２コンタクト５の押さえ部５２１（図６参照）に押さえられる支持部３１ｅと、第３コンタクト６の弾性アーム６２の先端側６２ａ（図４参照）に係止するカム部３１ｃと、を含んでいる。更に、カバーハウジング３の開閉軸３１は、カバーハウジング３における一方の端部の両翼に配置される一対の円柱突起３１ａ・３１ｂ（図２参照）を含んでいる。これら係合部３１ｄ、支持部３１ｅ、カム部３１ｃ、円柱突起３１ａ・３１ｂが開閉軸３１の軸方向に配置される。
【０１４３】
図４に示されるように、ＦＰＣ１が挿入されておらず、カバーハウジング３が閉じられた状態において、弾性アーム６２の先端側６２ａは、カム部３１ｃの第１輪郭部Ｃ１を当接して、カバーハウジング３の閉姿勢を維持している。なお、弾性アーム６２の先端側６２ａは、カム部３１ｃに当接しているが、開閉軸３１に力を付勢していない。
【０１４４】
図４に示された状態から、カバーハウジング３を開くと、弾性アーム６２の先端側６２ａは、カム部３１ｃに形成された第２輪郭部Ｃ２に押し上げられて、図１１に示された状態になる。図１１において、弾性アーム６２が、カム部３１ｃの第２輪郭部Ｃ２を押圧して、カバーハウジング３の開姿勢を維持している。
【０１４５】
図１１において、回動したカム部３１ｃは、弾性アーム６２の先端側６２ａに凹部２１から離反する力Ｒを付勢する。そして、弾性アーム６２は上方に撓み、第２接点６ｐと凹部２１の底面２３との間隔が拡大されて、ＦＰＣ１の挿入が可能になる。
【０１４６】
一方、図１１において、弾性アーム６２はその復帰力（又は、反作用）により、カム部３１ｃに凹部２１に向う力Ｓが作用する。この凹部２１に向う力Ｓは、両端支持された開閉軸３１の軸方向に等分布荷重として作用する。
【０１４７】
弾性アーム６２を変位させる力Ｒと、その反作用としてカム部３１ｃを押圧する力Ｓは、カバーハウジング３を開く過程において増幅される。したがって、複数の弾性アーム６２がハウジング２に配置されるだけでは、カバーハウジング３を開くに伴い、開閉軸３１の軸方向の中央部が撓み、前記中央部に配置されるカム部３１ｃと弾性アーム６２の先端側６２ａが噛み合って、カバーハウジング３を開くに至らなくなる。
【０１４８】
一方、図１２に示されるように、係合部３１ｄが凹部２１の底面２３に向う方向に抗して、係合部３１ｄを受け部４２１が支持している。図１２において、係合部３１ｄが凹部２１の底面２３に向う力Ｓに対して、第２アーム４２の先端側４２ａの弾性力Ｔが拮抗するように、第１コンタクト４が設けられている。
【０１４９】
又、図１２において、自由端となる受け部４２１に荷重が作用する片持梁となる第２アーム４２は、矩形断面の板厚を「ｂ」とし、幅を「ｈ」とすれば、当該第２アーム４２の断面２次モーメントＩはＩ＝ｂｈ３／１２の計算式で算出され、幅広の第２アーム４２は断面２次モーメントを大きいものとする断面形状としている。加えて、第２アーム４２の延出端部はハウジング２からの延出距離を短くしており、荷重が作用する受け部４２１の撓み量を少ないものとしている。
【０１５０】
更に、図１に示されるように、第１コンタクト４は、第３コンタクト６に近接するように配置され、かつ、両端支持された開閉軸３１の軸方向に対してほぼ均等に配置されているので、カバーハウジング３を開くにあたり、開閉軸３１が凹部２１に向って撓むことを防止できる。
【０１５１】
又、図１３に示されるように、前述のカム部３１ｃに作用する力Ｓは、カバーハウジング３に形成された斜壁３４が、第２アーム５２の先端側５２ａを押し下げる力Ｓとなって作用する。しかしながら、先端側５２ａに荷重が作用する片持梁となる第２アーム５２は、先端側５２ａを変位させないように断面２次モーメントの大きい剛性腕となっているので、カバーハウジング３の開姿勢において、先端側５２ａを容易に変位させないものとなっている。
【０１５２】
図１１から図１３に示されたカバーハウジング３が開いた状態から、凹部２１にＦＰＣ１を挿入して、カバーハウジング３を閉じると、複数の弾性アーム６２は復帰して、複数の第２接点６ｐがＦＰＣ１の一方の面を押圧して導電接続される（図４参照）。
【０１５３】
又、図４に示されるように、カム部３１ｃに形成される第１輪郭部Ｃ１及び第２輪郭部Ｃ２に連続する第３輪郭部Ｃ３は、ＦＰＣ１を凹部２１の底面２３側に押圧する押圧部３２を形成している。そして、押圧部３２の対向側からは、複数の第１接点４ｐ・５ｐがＦＰＣ１の他方の面を押圧して導電接続される（図５及び図６参照）。
【０１５４】
ＦＰＣ１が挿入されて、カバーハウジング３が閉じられるにあたり、第１接点４ｐの反力Ｐ１（図５参照）及び第１接点５ｐの反力Ｐ２（図６参照）が開閉軸３１に作用する。これら反力Ｐ１及びＰ２は、開閉軸３１の軸方向に等分布荷重となって、開閉軸３１が凹部２１の底面２３から離反する力となって作用する。これら反力Ｐ１及びＰ２は、開閉軸３１の軸方向の中央部を撓ませるように作用する。なお、このとき、弾性アーム６２の先端側６２ａはカム部３１ｃから離反しているので、これら反力Ｐ１及びＰ２に抗する力を与えることはできない。
【０１５５】
しかしながら、図６に示されるように、支持部３１ｅが凹部２１から離反する方向に抗して、支持部３１ｅを押さえ部５２１が押さえている。図６において、支持部３１ｅが凹部２１から離反する力Ｐ１及びＰ２に対して、第２アーム５２の先端側５２ａの弾性力Ｕが拮抗するように、第２コンタクト５が設けられている。
【０１５６】
又、図６において、自由端となる押さえ部５２１に荷重が作用する片持梁となる第２アーム５２は、矩形断面の板厚を「ｂ」とし、幅を「ｈ」とすれば、当該第２アーム５２の断面２次モーメントＩはＩ＝ｂｈ３／１２の計算式で算出され、幅広の第２アーム５２は断面２次モーメントを大きいものとする断面形状としている。加えて、第２アーム５２の延出端部はハウジング２からの延出距離を短くしており、荷重が作用する押さえ部５２１の撓み量を少ないものとしている。
【０１５７】
更に、図１に示されるように、第３コンタクト６は、第１コンタクト４に近接するように配置され、かつ、両端支持された開閉軸３１の軸方向に対してほぼ均等に配置されているので、カバーハウジング３を開くにあたり、開閉軸３１が凹部２１から離反する方向に撓むことを防止できる。又、第１接点４ｐ及び第１接点５ｐの接触不良も防止できる。
【０１５８】
この発明によるコネクタは、コンタクトは多ピン、狭ピッチであり、低背のＦＰＣ用のコネクタにおいて、開閉するカバーハウジングの開閉軸が変位しないように、カバーハウジングの開閉姿勢を維持する複数の第３コンタクト間に、前記開閉軸の撓み方向に抗して開閉軸を挟持する複数の第１及び第２コンタクトを交互に配列する構造としたので、カバーハウジングが確実に開閉し、接点がＦＰＣと正しく確実に接触することができる。
【０１５９】
前述のＦＰＣ用のコネクタとして、表裏面の導体間隔が０．２ｍｍピッチに形成されている両面ＦＰＣと導電接続可能とするＦＰＣ用のコネクタを実現できた。更に、前記両面ＦＰＣ用として、導体本数が８０極である両面ＦＰＣと導電接続可能とするＦＰＣ用のコネクタを実現できた。そして、このような構造を有するＦＰＣ用のコネクタは、表裏面の導体間隔が０．２ｍｍピッチであり、導体本数が１２０極まで有する両面ＦＰＣと導電接続可能であるＦＰＣ用のコネクタを実現できると想定される。
【図面の簡単な説明】
【０１６０】
【図１】本発明によるＦＰＣ用のコネクタの一実施形態を示す斜視外観図であり、要部を断面としている。
【図２】前記実施形態によるＦＰＣ用のコネクタの平面図である。
【図３】前記実施形態によるＦＰＣ用のコネクタの正面図である。
【図４】前記実施形態による第３コンタクトの側面を断面とする縦断面図である。
【図５】前記実施形態による第１コンタクトの側面を断面とする縦断面図である。
【図６】前記実施形態による第２コンタクトの側面を断面とする縦断面図である。
【図７】前記実施形態によるタブの側面を断面とする縦断面図であり、ハウジングにカバーハウジングが組み立てられる前の状態図である。
【図８】前記実施形態によるタブの側面を断面とする縦断面図であり、ハウジングにカバーハウジングが組み立てられた状態図である。
【図９】前記実施形態によるタブの側面を断面とする縦断面図であり、カバーハウジングが開いた状態図である。
【図１０】前記実施形態によるコネクタの斜視外観図であり、要部を断面としている。
【図１１】前記実施形態による第３コンタクトの側面を断面とする縦断面図であり、カバーハウジングが開いた状態図である。
【図１２】前記実施形態による第１コンタクトの側面を断面とする縦断面図であり、カバーハウジングが開いた状態図である。
【図１３】前記実施形態による第２コンタクトの側面を断面とする縦断面図であり、カバーハウジングが開いた状態図である。
【図１４】従来技術によるＦＰＣ用のコネクタの断面図である。
【図１５】従来技術によるＦＰＣ用のコネクタの断面図である。
【図１６】従来技術による別のＦＰＣ用のコネクタの断面図である。
【図１７】従来技術による別のＦＰＣ用のコネクタの断面図である。
【符号の説明】
【０１６１】
１    ＦＰＣ（両面ＦＰＣ）
２    ハウジング
３    カバーハウジング
４    第１コンタクト
５    第２コンタクト
６    第３コンタクト
２１    凹部
２３    底面
３１    開閉軸
３１ｃ    カム部
３１ｄ    係合部
３１ｅ    支持部
４０・５０    水平脚
４１・５１    第１アーム
４２・５２    第２アーム
４２ａ・５２ａ・６２ａ    先端側
６１    固定アーム
６２    弾性アーム
６３    連結脚
４２１    受け部
５２１    押さえ部
【図１】
2006127814.tif 000003
【図２】
2006127814.tif 000004
【図３】
2006127814.tif 000005
【図４】
2006127814.tif 000006
【図５】
2006127814.tif 000007
【図６】
2006127814.tif 000008
【図７】
2006127814.tif 000009
【図８】
2006127814.tif 000010
【図９】
2006127814.tif 000011
【図１０】
2006127814.tif 000012
【図１１】
2006127814.tif 000013
【図１２】
2006127814.tif 000014
【図１３】
2006127814.tif 000015
【図１４】
2006127814.tif 000016
【図１５】
2006127814.tif 000017
【図１６】
2006127814.tif 000018
【図１７】
2006127814.tif 000019